(57)【要約】【課題】  他方側接合片の孔部に頭付きビスをねじ込んで締め付けるという作業工程を行うだけで、外装カバーの合わせ部の隙間寸法のばらつきが抑制されるようにする。【解決手段】  一方側接合片２１のビス挿通孔２２に挿通した頭付きビス３を、一方側接合片２１に相対スライド自在に重ね合わせた他方側接合片２５の孔部２６にねじ込むことによって、一方側接合片２１の端縁２４を他方側接合片２５の段付面２７に対峙させるものにおいて、孔部２６をあらかじめ傾斜させておき、孔部２６にねじ込んだ頭付きビス３の頭部３１を一方側接合片２１の外面２３に当接させて締め付けることにより、一方側接合片２１と他方側接合片２５とを相対スライドさせる。【選択図】        図１
2006214474.tif 000002
【特許請求の範囲】
【請求項１】
一方側接合片のビス挿通孔に挿入された頭付きビスが、上記一方側接合片に相対スライド自在に重ね合わされた樹脂製の他方側接合片の孔部にねじ込まれていると共に、一方側接合片の端縁が他方側接合片の根元に形成された段付面に対峙しているデジタルカメラ外装カバー合わせ部の締込み構造において、
他方側接合片の上記孔部は、上記頭付きビスがねじ込まれることによってその頭付きビスと噛み合うねじが形成される素孔でなり、
一方側接合片の外面に対し傾斜して形成された他方側接合片の上記孔部にねじ込まれた上記頭付きビスの頭部が一方側接合片の外面に当接して締め付けられた際にその頭付きビスに加わる頭付きビスの軸線に直交する軸回りの回動荷重により、一方側接合片と他方側接合片とが相対スライドして一方側接合片の端縁と他方側接合片の上記段付面とが相対的に近付く方向に引き寄せられていると共に、上記頭付きビスに加わる上記回動荷重によってその頭付きビスが一方側接合片の外面に対し起立姿勢に立ち上げられることによって、その頭付きビスの頭部の下面全体が一方側接合片の外面に重ね合わされていることを特徴とするデジタルカメラ外装カバー合わせ部の締込み構造。
【請求項２】
一方側接合片のビス挿通孔に挿入された頭付きビスが、上記一方側接合片に相対スライド自在に重ね合わされた樹脂製の他方側接合片の孔部にねじ込まれていると共に、一方側接合片の端縁が他方側接合片の根元に形成された段付面に対峙している機器外装カバー合わせ部の締込み構造において、
一方側接合片の外面に対し傾斜して形成された他方側接合片の上記孔部にねじ込まれた上記頭付きビスの頭部が一方側接合片の外面に当接して締め付けられた際にその頭付きビスに加わる頭付きビスの軸線に直交する軸回りの回動荷重により、一方側接合片と他方側接合片とが相対スライドして一方側接合片の端縁と他方側接合片の上記段付面とが相対的に近付く方向に引き寄せられていることを特徴とする機器外装カバー合わせ部の締込み構造。
【請求項３】
上記頭付きビスに加わる上記回動荷重によってその頭付きビスが一方側接合片の外面に対し起立姿勢に立ち上げられることによって、その頭付きビスの頭部の下面全体が一方側接合片の外面に重ね合わされている請求項２に記載した機器外装カバー合わせ部の締込み構造。
【発明の詳細な説明】
【技術分野】
【０００１】
本発明は、デジタルカメラやその他の機器を対象とする外装カバー合わせ部の締込み構造、特に、外装カバー合わせ部の隙間を小さくしてそのばらつきを生じにくくするための対策を講じた外装カバー合わせ部の締込み構造に関する。
【背景技術】
【０００２】
図４はデジタルカメラの外観斜視図であり、同図に例示したデジタルカメラでは、その外装カバー１の合わせ部２を頭付きビス３で締め付けることによってその合わせ部２の接合片（図に現れていない）同士を結合している。この点を、上記合わせ部２を拡大断面図で示した図５を参照して具体的に説明すると、外装カバー１は樹脂成形体でなり、その合わせ部２では、一方側接合片２１のビス挿通孔２２に挿通させた頭付きビス３を、一方側接合片２１に重ね合わせた他方側接合片２５の孔部２６にねじ込んで締め付けてある。
【０００３】
このような外装カバー合わせ部の締込み構造において、従来は、一方側接合片２１のビス挿通孔２２が頭付きビス３を遊嵌可能な直径を有し、他方側接合片２５の孔部２６は、頭付きビス３の締付けに先立ってその他方側接合片２５を一方側接合片２１の裏側に重ね合わせたときに、その軸線が一方側接合片２１の平坦な外面２３に対して直交するように形成されていた。そのため、頭付きビス３を締め付けると、その頭付きビス３が一方側接合片２１の外面２３に対し垂直な姿勢を保ってねじ込まれ、図５のように一方側接合片２１の外面２３に頭付きビス３の頭部３１の下面３２の全体が重なり合って頭付きビス３が傾くことなく装備されていた。
【０００４】
一方、従来より、サラネジを用いて機器に取付金具を隙間なく取り付ける場合に、取付金具に卵形テーパ部を設けておき、サラネジをその卵型テーパ部に挿入して締め付けて取付金具を機器側に引き寄せるという技術が知られていた（たとえば特許文献１参照）。また、２枚のパネルを隙間なく突合せ接合するための技術（たとえば特許文献２参照）やトンネルを構築することに使われるセグメントを隙間なく接合するための技術（たとえば特許文献３参照）、ボルトによる締付け速度を高める技術（たとえば特許文献４、特許文献５）なども公知であった。
【特許文献１】実開昭６２−３７６０７号公報
【特許文献２】実開平６−４３３１２号公報
【特許文献３】特開２００３−９７１９５号公報
【特許文献４】特開昭５８−９４６１６号公報
【特許文献５】特開平８−８２３１４号公報
【発明の開示】
【発明が解決しようとする課題】
【０００５】
しかしながら、図５を参照して説明した外装カバー合わせ部の締込み構造では、一方側接合片２１のビス挿通孔２２に、頭付きビス３を遊嵌可能な直径を有していることが要求されるために、頭付きビス３を完全に締め付け終わったときの他方側接合片２５に対する一方側接合片２１の位置が不確定になることが多く、そのために、図５のように、他方側接合片２５の根元に形成されている段付面２７と一方側接合片２１の端縁２４との隙間寸法ｈにばらつきが生じて（数／１０）ｍｍ程度の外観上目立ちやすい隙間を生じることがあるというという問題があった。
【０００６】
そこで、従来は、上記の隙間寸法ｈのばらつきをできるだけ少なくするために、作業者が外装カバー１を手で掴んで一方側接合片２１と他方側接合片２５とを押し合わせることにより上記隙間寸法ｈをできるだけ無くするようにした状態で頭付きビス２を締め付けるという工程を行っていたけれども、そのような工程は作業者にとって負担になり、作業性が低下する原因になっていた。
【０００７】
この点に関し、特許文献１によって提案されている技術は、取付金具に特殊形状に属する卵形テーパ面を設けるための加工コストが高くつくという問題がある。また、特許文献２や特許文献３によって提案されている技術は、２つの大形部材を突き合わせて接合するための技術に関し、冒頭で説明したデジタルカメラのような精密小形機器に適用することが不可能であると考えられる。さらに、特許文献４や特許文献５によって提案されている技術は、ボルトによる締結作業の作業速度を速めることに役立つものではあるけれども、図５に示した隙間寸法ｈをできるだけ小さくしてそのばらつきを抑える作用を発揮するようなものではない。
【０００８】
本発明は以上の問題や状況に鑑みてなされたものであり、一方側接合片に重ね合わされる他方側接合片の孔部に傾きを持たせるという簡単な構成を採用し、その孔部に頭付きビスをねじ込んで締め付けるという作業工程を行うだけで、図５を参照して説明した隙間寸法ｈを小さくしてそのばらつきが生じることを可及的抑制することが可能になるデジタルカメラやその他の機器についての外装カバー合わせ部の締込み構造を提供することを目的とする。
【課題を解決するための手段】
【０００９】
本発明に係る機器外装カバー合わせ部の締込み構造は、一方側接合片のビス挿通孔に挿入された頭付きビスが、上記一方側接合片に相対スライド自在に重ね合わされた樹脂製の他方側接合片の孔部にねじ込まれていると共に、一方側接合片の端縁が他方側接合片の根元に形成された段付面に対峙している機器外装カバー合わせ部の締込み構造において、一方側接合片の外面に対し傾斜して形成された他方側接合片の上記孔部にねじ込まれた上記頭付きビスの頭部が一方側接合片の外面に当接して締め付けられた際にその頭付きビスに加わる頭付きビスの軸線に直交する軸回りの回動荷重により、一方側接合片と他方側接合片とが相対スライドして一方側接合片の端縁と他方側接合片の上記段付面とが相対的に近付く方向に引き寄せられている、というものである。
【００１０】
この構成であれば、頭付きビスの頭部が一方側接合片の外面に当接して締め付けられた際にその頭付きビスに加わる上記回動荷重が、一方側接合片の端縁と他方側接合片の段付面との対峙箇所の隙間を縮小することに利用されてその隙間が縮小する。そのため、外装カバーを手で掴んで一方側接合片と他方側接合片とを押し合わせるといった、作業者に負担のかかる作業を行うことなく、頭付きビスをねじ込んで締め付けるという作業工程を行うだけで、上記隙間が小さくなってその隙間寸法のばらつきが少なくなる。
【００１１】
本発明では、上記頭付きビスに加わる上記回動荷重によってその頭付きビスが一方側接合片の外面に対し起立姿勢に立ち上げられることによって、その頭付きビスの頭部の下面全体が一方側接合片の外面に重ね合わされていることが望ましい。これによれば、頭付きビスが傾くことなく装備されることになるので、頭付きビスの締め付け後に得られるが外装カバー合わせ部の外観が図５で説明した従来の場合と同様になる。
【００１２】
本発明に係るデジタルカメラ外装カバー合わせ部の締込み構造は、一方側接合片のビス挿通孔に挿入された頭付きビスが、上記一方側接合片に相対スライド自在に重ね合わされた樹脂製の他方側接合片の孔部にねじ込まれていると共に、一方側接合片の端縁が他方側接合片の根元に形成された段付面に対峙しているデジタルカメラ外装カバー合わせ部の締込み構造において、他方側接合片の上記孔部は、上記頭付きビスがねじ込まれることによってその頭付きビスと噛み合うねじが形成される素孔でなり、一方側接合片の外面に対し傾斜して形成された他方側接合片の上記孔部にねじ込まれた上記頭付きビスの頭部が一方側接合片の外面に当接して締め付けられた際にその頭付きビスに加わる頭付きビスの軸線に直交する軸回りの回動荷重により、一方側接合片と他方側接合片とが相対スライドして一方側接合片の端縁と他方側接合片の上記段付面とが相対的に近付く方向に引き寄せられていると共に、上記頭付きビスに加わる上記回動荷重によってその頭付きビスが一方側接合片の外面に対し起立姿勢に立ち上げられることによって、その頭付きビスの頭部の下面全体が一方側接合片の外面に重ね合わされている、という構成であってもよい。この構成による作用は後述する実施形態を参照して詳細に説明する。
【発明の効果】
【００１３】
以上説明したように、本発明に係るデジタルカメラ又は機器についての外装カバー合わせ部の締込み構造によれば、外装カバーを手で掴んだ状態で頭付きビスを締め付ける作業工程を行う必要がなくなり、しかも、頭付きビスの頭部が一方側接合片の外面に当接して締め付けられた際にその頭付きビスに加わる回動荷重が一方側接合片の端縁と他方側接合片の段付面との対峙箇所の隙間を縮小することに有効に活用されてその隙間が縮小し、その対峙箇所の隙間寸法のばらつきが抑制されて外装カバーの外観が良好になる。特に、頭付きビスに加わる回動荷重によってその頭付きビスが一方側接合片の外面に対し起立姿勢に立ち上げられることによって、その頭付きビスの頭部の下面全体が一方側接合片の外面に重ね合わされている、という構成を採用すると、頭付きビスが傾くことなく装備されて頭付きビスの締め付け後に得られるが外装カバー合わせ部の外観が図５で説明した従来の場合と同様になるという効果が奏される。
【発明を実施するための最良の形態】
【００１４】
図１は本発明の実施形態に係るデジタルカメラ外装カバー合わせ部の締込み構造を得るための初期工程を示した断面図、図２は同中間工程を示した断面図、図３は上記外装カバー合わせ部の締込み構造の断面図である。
【００１５】
この実施形態のデジタルカメラ外装カバー合わせ部の締込み構造は、図３のように、樹脂成形体でなる外装カバー１の合わせ部２において、一方側接合片２１のビス挿通孔２２に挿通させた頭付きビス３を、一方側接合片２１の裏側に重ね合わせた他方側接合片２５の孔部２６にねじ込んで締め付けることにより、一方側接合片２１の端縁２４と他方側接合片２５の根元の段付面２７とを対峙させてあるという点で、図５を参照して説明した事例と同様である。また、一方側接合片２１のビス挿通孔２２が頭付きビス３を遊嵌することのできる直径を有する点、及び、頭付きビス３が一方側接合片２１の外面２３に対し垂直な姿勢に保持されてその外面２３に頭付きビス３の頭部３１の下面３２の全体が重なり合って頭付きビス３が傾くことなく装備されているという点でも、図５を参照して説明した事例と同様である。
【００１６】
ただし、この実施形態では、後述する理由によって、頭付きビス３には、その頭付きビス３の軸線３ａに直交する軸回りの回動荷重Ｆが加わっていて、その回動荷重Ｆにより、一方側接合片２１と他方側接合片２５とが相対スライドして一方側接合片２１の端縁２４と他方側接合片２５の段付面２７とが相対的に近付く方向に引き寄せられている、という点で、図５を参照して説明した事例とは相違している。図３において、矢印Ａは、一方側接合片２１に対する他方側接合片２５の相対スライド方向を示している。
【００１７】
この構成であれば、頭付きビス３に加わっている回動荷重Ｆを受けた他方側接合片２５が一方側接合片２１に対して矢印Ａ方向に相対スライドしていることにより、そのような回動荷重Ｆが作用していない場合に比べて、一方側接合片２１の端縁２４と段付面２７との対峙箇所の隙間寸法が縮小されている。特に、この実施形態では、その隙間寸法が零、言い換えると、図３のように一方側接合片２１の端縁２４と段付面２７とが突き合わされて隙間が無くなっている。
【００１８】
したがって、この実施形態によれば、合わせ部２の上記対峙箇所で隙間寸法が縮小し、その対峙箇所の隙間寸法のばらつきが抑制されて外装カバーの外観が良好になっている。また、頭付きビス３の頭部３１の下面３２の全体が一方側接合片２１の外面２３に重なり合って頭付きビス３が傾くことなく装備されている。
【００１９】
図３に示した合わせ部２の締込み構造は次に説明する工程を行うことによって得られる。すなわち、図１のように、他方側接合片２５の孔部２６はねじ部分を持たない素孔でなり、頭付きビス３の締付けに先立ってその他方側接合片２５を一方側接合片２１の裏側に重ね合わせたときに、その軸線Ｌが一方側接合片２１の平坦な外面２３に対して図示のように傾斜するように形成されている。さらに具体的に説明すると、孔部２６はその軸線Ｌが下位にいくほど段付面２７との水平距離が短くなる方向に微小な角度θだけ傾斜している。そして、そのように傾斜した孔部２６に、一方側接合片２１のビス挿通孔２２に挿通させた頭付きビス３をねじ切りさせながらねじ込んで噛み合わせていくと、図２のように頭付きビス３の頭部３１の下面３２が、その周方向の１箇所イだけで一方側接合片２１の外面２３に当接する。そのため、さらに頭付きビス３を孔部２６にねじ込んで締め付けていくと、そのときの締め付けに伴い、上記箇所イを支点とする回動荷重が頭付きビス３に加わる。この回動荷重は、頭付きビス３の軸線３ａに直交する軸回りに作用するので、その頭付きビス３が一方側接合片２１の外面２３に対して次第に立ち上がって起立姿勢に近付いていく。そして、頭付きビス３の頭部３１の下面３２の全体が一方側接合片２１の外面２３に重なり合うまでその頭付きビス３を締め付けると、図３を参照して上述したデジタルカメラ外装カバー合わせ部の締込み構造が得られる。
【００２０】
すなわち、頭付きビス３が完全に締め付けられていない段階では一方側接合片２１の端縁２４と他方側接合片２５の段付面２７との対峙箇所に隙間Ｓが存在しているとしても（図１及び図２参照）、頭付きビス３が完全に締め付けられた図３の段階では、頭付きビス３に加わった回動荷重Ｆにより一方側接合片２１に対し他方側接合片２５が矢印Ａ方向に相対スライドするので、一方側接合片２１の端縁２４と他方側接合片２５の段付面２７とが相対的に近付く方向に引き寄せられて両者が突き合わされ、それによって隙間Ｓが無くなる。
【００２１】
この実施形態では、頭付きビス３に加わる回動荷重Ｆにより一方側接合片２１の端縁２４と段付面２７とが引き寄せられて両者が突き合わされる事例を説明したけれども、この点に関しては、一方側接合片２１の端縁２４と段付面２７とが突き合わされる必要性は必ずしもない。すなわち、一方側接合片２１の端縁２４と段付面２７とが互いに引き寄せられて両者の隙間Ｓが縮小するという現象が起こりさえすれば、最終的に隙間が存在していてもその隙間が微小になって両者の対峙箇所の隙間寸法のばらつきが抑制され、外装カバー１の外観が良好に保たれる。
【００２２】
この実施形態では、外装カバーがデジタルカメラの外装カバーである事例を説明したけれども、本発明はデジタルカメラ以外の電気電子機器などの外装カバーにも適用することが可能である。
【図面の簡単な説明】
【００２３】
【図１】本発明の実施形態に係る外装カバー合わせ部の締込み構造を得るための初期工程を示した断面図である。
【図２】同中間工程を示した断面図である。
【図３】外装カバー合わせ部の締込み構造の断面図である。
【図４】デジタルカメラの外観斜視図である。
【図５】図４のデジタルカメラの外装カバーについての合わせ部の拡大断面図である。
【符号の説明】
【００２４】
１  外装カバー
２  合わせ部
３  頭付きビス
２１  一方側接合片
２２  ビス挿通孔
２３  一方側接合片の外面
２４  一方側接合片の端縁
２５  他方側接合片
２６  孔部
２７  段付面
３１  頭付きビスの頭部
３２  頭付きビスの頭部の下面
Ａ  他方側接合片の相対スライド方向
Ｆ  回動荷重の作用方向
【図１】
2006214474.tif 000003
【図２】
2006214474.tif 000004
【図３】
2006214474.tif 000005
【図４】
2006214474.tif 000006
【図５】
2006214474.tif 000007